(57)【特許請求の範囲】
【請求項１】
媒体吐出口（１３）内へ媒体を吐き出すとともに媒体の流路を形成し、かつ、送出し圧力を生ぜしめる圧力室（８、９）への接続部分を、前記媒体吐出口（１３）から距離をおいて有するとともに、通路断面を決める吐出通路（１１、１２）と、前記吐出通路（１１、１２）に関連するとともに前記媒体の流量を調節するために移動可能とされる心部材（２０）とを有する媒体吐出装置において、通路断面を実質的に圧縮するために送出し圧力を高める場合に、前記心部材（２０）が、前記媒体の流量を変化させるために、第１の動作において移動しうるようになっており、前記第１の動作の後に、前記第１の動作と異なる第２の動作において前記心部材（２０）を移動させるための手段が設けられていることを特徴とする媒体吐出装置。
【請求項２】
前記心部材（２０）の外側周面（３２）上および／または端面（３１）上に、前記吐出通路（１１、１２）の通路部分をなす少なくともひとつの通路凹部（４４、４５、４６）が設けられ、特に、前記外側周面（３２）内および／または前記端面（３１）内に溝状の通路凹部（４４、４５）が設けられ、好ましくは、前記端面（３１）の中央に位置する通路凹部（４６）が、前記媒体吐出口（１３）の略軸（１０）上に位置する渦乱流室をなすことを特徴とする請求項１に記載の吐出装置。
【請求項３】
前記心部材（２０）が開始位置の方向にバネの負荷を受け、特に吐出弁（１７）の上流において流通方向に戻りバネ（２５）が配置され、好ましくは戻りバネ（２５）が前記圧力室（８）内において係合し、かつ／または前記圧力室（８）の栓をなす弁座（２６）を形成する弁挿入部材上に支持される前記請求項１、２のいずれか１項に記載の吐出装置。
【請求項４】
前記心部材（２１）が、自身の移動経路の少なくとも一部分にわたって栓（１７）の本体（２２）と実質的に同期移動可能であり、かつ／または前記栓本体によって駆動され、特に、前記心部材（２１）が前記栓本体（２２）に固定的または一体的に接続され、好ましくは、前記心部材（２１）が前記栓本体（２２）の端部側（２９）から自由突出し、かつ／または前記栓本体（２２）と同じバネ（２５）の負荷を受けることを特徴とする前記請求項１〜３のいずれか１項に記載の吐出装置。
【請求項５】
交互に幅を増減させた少なくとも２つの流通スロットル（１７、１８、１９）が、流通方向に連続的に配設され、特に、流通方向の第１の流通抑制部材（１７）が、周方向に延在する密閉用可変圧縮間隙を形成し、好ましくは、前方圧縮間隙（３４、３５）が第２の抑制部材（１８、１９）によって形成されることを特徴とする前記請求項１〜４のいずれか１項に記載の吐出装置。
【請求項６】
異なる媒体を流通させる分離状態の２本の吐出通路（１１、１２）が設けられ、特に、少なくとも１本の吐出通路（１２）が前記心部材（２０）に対向して開口し、好ましくは、第１の吐出通路（１１）が前記心部材（２０）のまわりに環状的態様に開口するとともに、第２の吐出通路（１２）が前記心部材（２０）の周面の小部分上においてのみ、前記心部材に対して開口することを特徴とする前記請求項１〜５のいずれか１項に記載の吐出装置。
【請求項７】
２つの離間連設ノズル（１３、５３）が設けられ、特に、両ノズル（１３、５３）に比べて幅広とされ、かつ／または前記第２のノズル（１３）の吸入端部（１５）の上流に離間配置される乱流室（３５）内に流通方向の前記第１のノズル（５３）が開口し、好ましくは、前記第１のノズル（５３）が吸入側において前記心部材（２０）により制御されることを特徴とする前記請求項１〜６のいずれか１項に記載の吐出装置。
【発明の詳細な説明】
【０００１】
【産業上の利用分野】
本発明は、少なくとも一方が気体以外の媒体、たとえば液体や粉末等であってもよく、かつ／または少なくとも一方が気体、たとえば空気であってもよい１種類以上の媒体を吐き出す装置に関する。このような吐出装置は、スラストピストンポンプや圧搾ポンプまたはベローズポンプ等の圧力発生装置に固定された単なる吐出圧力ヘッドからなるもの、またはこうした圧力発生装置や関連の媒体槽を備えた構造の装置として形成可能である。
【０００２】
【従来の技術】
吐出装置は、ひとつ以上の媒体吐出口と吐出通路と手動で圧力を発生させる容積可変室と、手動で直接作動させることによって圧力室が狭められると同時に媒体を案内し、または作動に先立って送出し圧力下で媒体が充填された圧力室を手動で作動させることによって吐出通路へと開口させる弁または流量可変制御部材または調節部材とを有する。
【０００３】
このような吐出装置においては、媒体吐出口に対して離間した位置または近接した位置または媒体吐出口より後の位置における流通作用を調整することが必要である。たとえば１回の吐出工程における媒体の流量を調整して、送出し圧力の変化に合わせること、または吐出工程あたりの吐出量を適切な量にすることができる。
【０００４】
【発明が解決しようとする課題】
本発明の目的は、特に単純な構造の場合に圧力室を出た後の媒体の流量を前記圧力室と開放環境に隣接する媒体吐出口との間の任意の地点において任意に調整しうる吐出装置を提供することにある。
【０００５】
【課題を解決するための手段】
本発明の解決手段を例示すると、請求項１〜７に記載の吐出装置である。
【０００６】
【実施例】
本発明によれば、送出し圧力の増加に伴って通路断面の縮小等が可能となるように、媒体の流量を変化させる心部材または調節部材が配設される。こうした通路断面の変化は、作動状態または送出し圧力とは無関係に特定の設定が維持され、かつ／または作動時の流路または圧力に従属した設定となるように、すなわち吐出装置を作動させて吐出動作を行なわせると自動的に特定の設定になるように、手動で別々に作動させることによって実現される。
【０００７】
流路が流通作用に影響を与えるノズル形状をなす８ｍｍ未満または４ｍｍ未満または１ｍｍ未満の相対的に小径のノズル、特に噴霧ノズルにより、少なくともひとつの媒体吐出口が形成されていると、前記構造に関係なく、制御部材または調節部材を配設して、吐出ノズルの通路断面が可変となるように前記ノズル形状を変化させることができる。こうした変化によって、常に自由な通路断面を確保したり、吐出口や吐出通路を完全に閉鎖して、少なくとも１種類の媒体を媒体吐出口に到達させないように遮断したりすることができる。
【０００８】
また、調節部材を利用して流路形状を変化させ、したがって分離状態の媒体を一ヶ所に集めて混合等を行なったり乱流や還流の形に変化させたりする乱流室または渦室が流通に対する作用を変化させることができる。
【０００９】
特に、制御部材または調節部材は、相応の構造の対向面に対する調節移動の際に移動するとともに前記対向面と合わさって円盤状の平坦な可変通路間隙をなす実質平面状または大部分平坦な鈍角端部または制御面を内周や外周に続いて有するものとすることができる。前記通路間隙の外周と直角に接続される長手通路は、自身の流通に対する作用または自身の通路断面に関して実質的に変化不能な状態に保たれ、または調節動作によって変化可能とされる。
【００１０】
特に、送出し方向に離間的態様または直接連続する形の調節動作により変化可能な、互いに逆に変化する少なくとも２つの通路断面を設けることが好ましい。一方の通路断面が大きく、または流れが穏やかになると、他方が適切に小さくなり、または流れの乱流度または速度が増し、逆の場合も同様とする。構成については、吐出送給の時には流通方向の第１の通路断面が大きくなって第２の通路断面が小さくなり、または返送動作の場合は順序が逆になるようにすれば有利である。
【００１１】
また、たとえば圧力に準じた態様で開く吐出弁が全開状態となっても、調節部材の開始位置から終了位置までの経路を利用して吐出量を設定または制限し、または吐出装置の作動および圧力室内における送出し圧力の増加に関わりなく吐出を終了させることができる。このために、弁座と流通方向に弁座に続く狭い流通路との間に、弁座から媒体を直接流入させるとともに弁または調節部材も貫入可能な幅広の環状または円盤状の平坦な中間室を設ける。
【００１２】
前記中間室またはその他の何らかの室はまた、結果的に追加の送出エネルギーが得られるように容積が調節部材によって変化するとともに調節部材の動作時に媒体が押し出されるポンプまたは排出室として構成可能である。これにより、またはさらにその他の手段を介して、調整部材は、必ず吐出エネルギーが実質的に最大になった時に媒体の吐出を開始させ、かつ／または即座に終わらせることができ、吐出量が徐々に増加または減少するのではなく、媒体が中程度に吐き出されるようになる。これは、非常に細かな噴霧の吐出に特に有利であり、吐出の開始時点や終了時点で極めて細かな噴霧を確保することができるようになる。媒体吐出口については、たとえば気体の供給を伴った発泡媒体が自身に近接した位置において調節部材または制御部材により調整可能な状態に発泡せしめられる発泡ノズルからなるものとすることができる。
【００１３】
調節部材は、中間駆動装置を介してピストンにより進入駆動されるが、必然的または同時的または同期的に駆動され、かつ機械的に直接駆動されるように、前記ピストンに適切に固定的かつ一体的に接続される。調節部材はピストンによって形成可能であり、前記ピストンは弁本体により形成可能である。
【００１４】
調節部材は、前記各構造部材を有するものとすることができるとともに任意の組合せで作用し、または分離状態の同じ調節部材にすることもできる。調節部材を、圧力室を形成するケーシングや媒体吐出口を有する吐出圧力ヘッド等の上に後付可能かつ２つのサブアセンブリ間に適切に固定可能な取付部材や弁座、戻りバネ、ピストンまたは弁本体、圧力室閉止栓等を備えた事前取付けのサブアセンブリをなすものにすると、特に有利である。
【００１５】
調節部材に近接して、または流通方向に調節部材に続いて、第２の媒体流供給部または第１の媒体に対する第２の媒体流の供給部を設けると特に有利であり、これによって第２の媒体は第１の媒体とは異なる凝集状態になるもの、たとえば気体とすることができる。これにより、霧化または発泡を大幅に向上させることができ、または第２の媒体の媒体吐出口に対する供給等を第１の媒体の対応する供給よりも前に開始させ、または第２の媒体の供給後に終わらせることができる。
【００１６】
前記およびその他の特徴ついては、特許請求の範囲と発明の詳細な説明と図面とに示されており、個々の特徴は、本発明の実施例において単独または複合形態のいずれの形でも実施可能であるとともに、ここに保護を請求する有利かつ独立保護可能な構造を表すものである。
【００１７】
以下に、図面を参照しながら本発明の実施例についてより詳細に説明する。
【００１８】
図示例
吐出装置１は、本体２と、前記本体２上において支持されて、分離状態の２種類の媒体、たとえば液体と空気とを貯蔵する媒体槽としての役割を果たす容器空間を有した容器４の縮径首部５に固定される挿入部材３とを有する。容器４は、ケーシングおよび／または少なくとも一方の端面に加えられる外圧によって弾性的に伸縮する屈曲弾性可塑壁を有した弾性圧搾瓶である。しかし、寸法的剛性を有するもの、または送出し圧力を生じしめるエーロゾル等の推進剤を入れておくことのできるものでもある。
【００１９】
容器４は、圧縮性を有するために、供給媒体の全量を貯蔵する貯蔵空間によって形成された圧力室８の容積を手動変化させうる一種のバルーンポンプを形成することになる。圧力室８内には、第２の媒体空気用として非破壊的に折り畳まれると同時に内容物が完全に排出されて壁面材料の体積に略対応した体積のみとなるような薄膜状の袋によって形成された圧力室９を有する同じ作用の別なポンプ７が設けられる。圧力室８が自身の充満状態とは関係なく、空気を吸入しなくても常に完全な充満状態を保つように、圧力室９に外部から空気が再充填される。圧力室８からの第１の媒体の供給またはその後の容器壁面の復元または復帰によって圧力室９は相応に拡大されると同時に、それに伴って外部から空気が吸入される。
【００２０】
吐出通路１１は、圧力室８から首部５と本体２、３とを貫通して延在する。これとは実質的に分離状態の吐出通路１２が、首部５から離間的態様で圧力室９から容器４の壁面と本体２とを貫通して延在する。これらの吐出通路１１、１２は共通の媒体吐出口１３内へと通じているが、本体２の外側露出面に設けられるとともに媒体が装置１から完全に吐き出される媒体吐出口１３から２種類の媒体が混合された形で吐き出されるように、その手前でひとつにまとめられている。媒体吐出口１３は、直径１／２ｍｍ未満または１／１０ｍｍのノズルまたは端部通路１４の外側端部１６により形成されている。円筒状の端部通路１４は、自身の最小幅の最大３〜５倍の長さを有するとともに、両端部１５、１６において漏斗状の態様に拡幅され、または前記端部の少なくとも一方まで内径が一定の状態で貫通延在する。
【００２１】
吐出通路１１の流通方向に、吐出通路１１内を流れる媒体全体に作用し、すなわち通路断面の開閉もしくは単なる増減を行なう３つの流通抑制部材または弁１７、１８、１９が連設される。全ての弁１７〜１９は、端部通路１４側に位置する心部材２１と前記心部材に固定的な接続状態または軸方向に移動可能な接続状態に直接接続された弁本体２２とを有する単一の調節部材２０によって同期的に操作される。心部材２１の反対側において、弁本体２２は内側端部上に戻りバネ２５用の円盤状当接部２４を備えた軸２３を圧力室８の一部分をなす首部５内に突出させている。軸２３を取り巻くバネ２５は、一方の端部により当接部２４上に支持されており、他方の端部は、首部５の外側端面と略同じ平面上にある挿入部材３の内側端面上に位置している。
【００２２】
任意で本体２と一体構造とされる円環盤形の挿入部材３は、流通方向に略直角な態様に拡幅される台形状の弁座２６をなすとともに、円盤状の弁本体２２の外周面上の類似の台形状閉止面２７と密着係合する内周面となる。弁座２６は、本体２と首部５の端部との間において同時に瓶の栓または容器開口部と本体２との間の密封部材をなすように固定される、さもなくば平面的な挿入部材３の首部５内に突出する台形状縁部によって形成される。開始位置またはポンプ６の非作動状態において、弁１７は密閉状態にある。弁本体２２は、圧力室８の内圧にさらされる制御ピストンをなすとともに、圧力室８の内圧が超過圧力となった時に弁１７を開き、それに伴って表面２６、２７間において媒体の通路となる間隙が全周面にわたって延在形成されるように調節部材２０を流通方向に移動させる。
【００２３】
弁１８または１９は、開始位置において開口度が最大となり、弁１７が最大開口位置にある時に開口度が最小または完全閉鎖状態となる。弁１８の円形平面状弁座２８は、弁本体２２の大きい方の円盤平面状端面が開始位置にある時は前記弁本体に対して間隔を空けて位置するとともに、本体２の内側端面上に設けられた円形凹部により形成される。弁１８の閉止面２９は、弁本体２２の前記端面によって形成され、外径的には弁座２８の方が大きくなっている。したがって、弁座２６は、弁面２８、２９間に位置するとともに心部材２１が貫通する円環盤状の間隙３４に直接接続されることになる。弁座２６の最大幅は、弁座２８の最大幅に対応する。
【００２４】
これに対して、弁１９は、はるかに幅狭の弁面３０、３１、すなわち本体２上に設けられる弁座３０と、前記弁座に対面するとともに弁本体２２の反対側に位置する心部材２１の最外方端面によって形成される閉止面３１とを有する。弁面３０、３１も実質的に平面状かつ円形とされる。弁座３０は、本体２の単体形端部壁３７を貫通する端部通路１４の内側端部１５を取り巻く。開始位置において、弁面３０、３１間には、最外周面内において何の部材にも貫通されず、かつ軸方向の間隙幅が要件の関数として通路間隙３４と同じまたは前記通路間隙よりも大または小なる別な円環盤状の通路間隙３５が形成される。通路間隙３５の方が小なる場合は、閉止面３１は弁座３０に当接して、弁１９が閉状態となるにもかかわらず間隙３４は最狭通路断面幅のまま開状態に保たれるようになる。より大なる間隙幅の場合は、閉止面２９が当接する一方、弁１９の間隙３５は最狭のまま開状態に保たれる。間隙幅が同じまたは停止距離が同じ場合は、停止制限により両方の弁１８、１９が同時に閉鎖されるが、手段を配して特定の弁１８、１９を介して最小限の自由通路断面を確保することができる。ひとつから全部の弁または抑制部材とその面と端部通路１４と媒体吐出口１３と首部５と調節部材２０とが、容器４と同軸状態または偏心状態となる実質的に単一の中心軸１０上に適切に配置される。
【００２５】
心部材２１は、自身の全長にわたって連続するとともに端面３１に接続され、かつ端面２８、３０に接続される本体２の内側周面に対向面として対面する円筒状の周面３２を有する。図１にしたがって、面３２、３３間において全周にわたって延在するともに間隙３４、３５に接続される外囲間隙３８を設けてもよく、または図２にしたがって面３２、３３を実質的に互いに密着させ、または摺動的態様に係合させてもよい。開始位置における外囲間隙３８の長さまたは本体２の内側に設けられる関連凹部と心部材２１との係合長さについては、心部材２１が常に凹部内に係合するように間隙３４、３５の間隙幅よりも大とする。心部材２１を軸方向に調節移動させることにより、通路部分３４、３５を接続する通路部分３８の通路断面は全く影響を受けないかもしれず、または所望の吐出作用の関数として前記通路断面を増減させることができる。
【００２６】
室３４、３５は同時に、送出し圧力の増加に伴ってスラストピストンのような態様で作用する部材２２、２１により圧縮されて、結果として媒体吐出口１３の方向に媒体を吐き出す容積可変の圧力室またはポンプ室を形成する。端面３１によって形成されるピストン２１の有効ピストン面は、有効ピストン面２９または２７よりも小とされ、弁を開くために用いられるピストン面２７は逆方向に作用するピストン面よりも大または略同じ大きさとされる。開口部１２〜１６、３５、３８と面３０、３３と壁３７とについては、略一定の壁厚を有するとともに本体２に固着的態様または調節移動のために移動可能に挿入された後に心部材２１の嵌入を受ける別途のノズルキャップ上に設けることもできる。
【００２７】
吐出通路１２は、ひとつ以上の間隙３４、３５、３８の外周に略半径方向または接線方向に接続される口金３６内において終端するとともに、心部材２１が開始位置にある状態において前記心部材の周面３２にのみ適切に対向し、または周面３３の長さの略中央に位置する。圧力に従属した態様で開く進入弁３９によって、吐出通路１２の一部分を介して外部から空気が吸入される。室９の内圧が超過圧力になった時に閉じる一方向弁３９に続いて流通方向に、室９の内圧が超過圧力になった時に口金３６において相応の高圧空気が得られるように開く出口弁または吐出弁４０、たとえばバネ付きの一方向弁または超過圧力弁が配設される。心部材２１がいかなる位置にあっても、口金３６を同じまたは異なる開口度にすることができ、または開始位置等のひとつの位置、たとえば一方または両方の終了位置において閉鎖することができる。口金３６が吐出を行なう特定の室または間隙は、同時に、２種類の媒体が渦作用または乱流作用によって均一に混ぜ合わされる混合室を形成する。
【００２８】
吐出作用または混合をさらに向上させるために、手段４１を適切に配設して流通を調整するとともに、特に流通方向と速度と乱流度と回転とを変化させる。たとえば特定の室３４、３５、３８は、一方または両方の媒体を中心軸１０のまわりにおいて流動回転させて、前記回転を端部通路１４と媒体吐出口１３と前記媒体吐出口以降とに至るまで継続させるようにする乱流室または渦室として構成され、したがって少なくともひとつの渦装置４２、４３が形成されることになる。強力な混合乱流または回転流を生じしめるように、特定の渦室３４、３５を一方または両方の端部３０、３１または手段４１または渦装置４２の案内面を有する周面３２、３３上に設けることもできる。
【００２９】
心部材２１内には、周面３２に沿って、一方の端部が各位置において通路部分３４に対して開いた状態に接続され、または少なくともひとつの位置、特に終了位置において弁１８によって閉じられる軸方向の細溝状の通路４４が設けられる。長手通路４４の他方の端部は、端面３１上において長手通路４４と反対側の半径方向内側端部がこれもまた端面３１に設けられた皿状またはカップ状の凹部４６内に開口する細溝状の横通路４５へと角度をなす態様に通じている。凹部３６の底面は通路４５の底面と同じ平面上に配置され、または通路４５の底面に対して端部通路１４の方向または前記端部通路と逆方向に位置ずれしている。
【００３０】
凹部４６の幅は通路４４、４５の幅よりも大とされ、いずれの場合も各通路４５の片側は、中心軸１０のまわりにおいて凹状に湾曲した凹部４６の内側周面の一部分の片側端部に接線方向に接続される。通路４５の通路断面は、たとえば対面側が鋭角的に収束することにより、室４６の方向に漏斗状の態様に連続的に縮小される。通路４４または心部材２１の長さはその外径と略同じまたは前記外径よりも実質的に小とされ、室４６の内径は、通路部分１４または１６または弁座３０の内周面の内径よりも大とされる。凹部４４〜４６は心部材２１内にのみ設けることができるとともに、開放状態の細溝側または凹部側において、本体２の無凹部面３３、３０によって閉鎖され、または閉鎖可能とされる。しかしながら、この凹部を面３３、３０にのみ設けて、心部材２１の無凹部面３２、３１により相応に閉鎖し、または閉鎖可能とすることもできる。また、前記凹部を関連ある両面に設けることもできる。
【００３１】
図１に示した実施例においては、前記通路または凹部は設けられておらず、したがって弁１９は心部材２１の操作終了位置において閉鎖されるが、図２および３に示した実施例の場合には、弁１９は完全に閉鎖されるのではなくて通路４４から媒体吐出口１３に至る通路接続部が常に開状態に保たれる。図３において、第１の媒体は凹部４６内で遠心力を受けて、一緒に流れる空気を中心にして内周面に沿って右回りに流動し、同時に通路４４を長手方向に通過した第１の媒体が表面３０上において跳ね返されることによって再び表面３１と凹部４５、４６との方向に逆流するとともに、端部通路１４上において、表面３１または凹部４５、４６に接近する時に結果的に乱流となった流動媒体が前記通路へと送られることになる。この工程の最後に、弁１８、１９が閉鎖されることによって端部通路１４への両媒体の供給が即座に遮断されるのであるが、図２および３に示した実施例においては、弁１８の閉鎖によって第１の媒体の供給のみが即座に遮断される一方、第２の媒体は引き続き端部通路１４から流出して、吐出口１３と通路１４〜１６と室３５と凹部４４〜４６とから第１の媒体を一掃除去することになる。
【００３２】
図１において、口金３６は、各位置において半径方向に離間した状態で半径方向または接線方向に心部材２１の周面に対向する。図２において、口金３６は、開始位置にある時には、空気が自身から横通路４５へと略半径方向または直線的に直接流入した後に凹部４６に流れ込むように、２本の通路４４、４５間の遷移部分に半径方向に対向する。他方の終了位置において、口金４６は、自身の略全幅にわたって長手通路４４の底面に対向する。図３において、吐出通路１２の開口部３６は、長手通路または横通路４４、４５に連結される周方向の通路４７を有していてもよい周面３２または３３上に接線方向に開口しており、前記周面上において第２の媒体を回転流動させるとともに略同時に２本以上の通路４４、４５へと流入させるようになっている。周方向の通路４７内における回転流動は、中心軸１０を中心とする凹部４６内での回転流動と同方向または逆方向とすることができる。さらに、図３にしたがって、凹部４４〜４６との関連で説明した前記周方向の通路４７を形成する細溝状凹部を面３２または面３３のみに、または前記両面に設けることができるとともに、開放凹部側において閉鎖することができる。通路４７は、長手通路４４に近接した位置のみに設けてもよく、横通路４５に近接した位置または両方の通路４４、４５の間の遷移部分のみに設けてもよい。通路４７の通路断面は、吐出通路１２の通路断面と略同じまたは前記断面よりも小とする。
【００３３】
図４の実施例では、心部材２１は、図１〜３の場合とは相違して、最大幅端面２９上に心部材を突出させずに、連続平面状の、または凹部４５、４６を備えた弁１７の本体によって直接形成されている。室３４は、中間壁４９により、軸方向の長さが前記室よりも大なる室３５から分離されており、前記室３４の一方の側面が弁１８の端面２８をなしている。端部通路１４に対面する壁４９の他方の側には、室３５内に自由突出するとともに中心軸１０上に位置するノズル５０をなす凸部４８が設けられる。外周面において流通方向に台形状の態様に先細とされる凸部４８は、略一定幅の線形ノズル通路５１により内部において貫通されるとともに、自由端部において、室３５の軸方向の長さまたはノズル開口部５３の幅の略半分以下の間隔を有した態様で内側端部１５または端面３０に対面するノズル開口部５３を軸１０上に形成する。ノズル開口部５３は、周面において、通路５１を内周とするとともに凸部４８の円錐状の外面を外周とする断面鋭角の切取り縁部または環状縁部５１によって形成される。
【００３４】
端部通路１４は内側端部から外側端部１６まで台形状に拡幅され、その内側端部の幅は上流に離間配置される等軸のノズル開口部５３の幅よりも大とされる。端部通路１４のように本体２と一体構成とされる前噴霧ノズル５０は、あらゆる操作状態において端部通路１４に対して同じ位置に配置される。ノズル開口部５３の反対側の通路５１の吸入端部は、弁座２８内へと開口する。圧力室８の内圧が超過圧力となった場合には、弁１７が徐々に開口する一方、それと同時にノズル５０に関連ある弁１８が徐々に閉鎖される。吐出通路１２は、第２の媒体が凸部４８のまわりにおいて円を描いて回転流動せしめられるとともに、開口部５３から中心部、すなわち面３０、５２間に形成された、流速を著しく加速させる間隙部分へと吹き出される第１の媒体の流入を受けるように、軸方向の長さの略全長にわたって前記態様で半径方向かつ／または接線方向に室３５内に開口している。第１の媒体は開口部５３から流出する際に同方向または逆方向に回転流動することになる。
【００３５】
混合媒体は、開口部５３に近接した位置から内側端部１５の鋭角的な急斜面をなす内側環状縁部に沿って流れる際に再び強く渦巻き、より強い環状噴流となって吐出口１３から流出する。第１の段階でノズル５０によって第１の媒体だけが霧化されるとともに、特に、それに続いて第２の媒体が供給され、その後、別の第２の段階においてノズル１４によって両媒体が一緒に霧化されるために、超微小な噴霧粒子が噴射断面全体に均等に分布することになり、吐出工程の開始から終了まで、こうした特性に対する定常性が高くなる。
【００３６】
吐出通路１１または１２に対する圧力室は、進入弁を用いたその後の吸入によって戻り工程において別途の媒体槽または大気から繰り返し充填を受ける手動式スラストピストンポンプのシリンダ室によって形成されてもよい。これに関しては、たとえば同軸状態の別々の２つのポンプまたは圧力室を共通の把手によって同時に操作することができる。心部材２１が流通方向と逆の方向に戻る際に、室３４または３５の容積が再び増加して圧力不足になる結果、端部通路１３への第１の媒体の供給が即座に遮断され、または前記媒体が吸い戻されることになる。
【００３７】
前記各実施例の各々の特徴は、これ以外の各実施例にも配設可能である。前記の寸法や相対的な位置、作用等の特徴については、所要の吐出特性や特性、特に第１の媒体や第２の媒体の流動特性によって、前記説明と全く同じように、または若干異なる態様に、または実質的に前記説明のように、または前記説明から多少変化した態様にすることができる。
【図面の簡単な説明】
【図１】  本発明による吐出装置の軸方向断面図である。
【図２】  図１の構造の改良を示す拡大詳細図である。
【図３】  図２による構成の構造的改良を示す断面図である。
【図４】  図２に対応する別な実施例を示す図である。
【符号の説明】
１      吐出装置
２      本体
３      挿入部材
４      容器
５      縮径首部
６      ポンプ
７      ポンプ
８      圧力室
９      圧力室
１０    中心軸
１１    吐出通路
１２    吐出通路
１３    媒体吐出口
１４    端部通路
１５    端部
１６    外側端部
１７    弁
１８    弁
１９    弁
２０    調節部材
２１    心部材
２２    弁本体
２３    軸
２４    円盤状当接部
２５    バネ
２６    弁座
２７    台形状閉止面
２８    円形平面状弁座
２９    閉止面
３０    弁面
３１    弁面
３２    周面
３３    周面
３４    通路間隙
３５    通路間隙
３６    口金
３７    単体形端部壁
３８    外囲間隙
３９    一方向弁
４０    吐出弁
４１    手段
４２    渦装置
４３    渦装置
４４    長手通路
４５    横通路
４６    室
４７    周方向の通路
４８    凸部
４９    中間壁
５０    ノズル
５１    線形ノズル通路
５２    面
５３    ノズル開口部
【図１】
0003751659.tif 000002
【図２】
0003751659.tif 000003
【図３】
0003751659.tif 000004
【図４】
0003751659.tif 000005